(57)【特許請求の範囲】
【請求項１】
写真フィルムの画像コマ及びコマ番号を感光材料に投影露光するために光軸にセットされるマスクユニットであって、
前記画像コマに対応した第１開口部と前記コマ番号に対応した第２開口部とを有する第１ユニットを備え、前記第１開口部と前記第２開口部のうちの前記第２開口部のみに第１透明体を取り付けてあることを特徴とするマスクユニット。
【請求項２】
前記画像コマに対応した第３開口部と前記コマ番号に対応した第４開口部とを有し、かつ、前記写真フィルムを押さえる機能を有する第２ユニットを備え、前記第３開口部と前記第４開口部のうちの前記第４開口部のみに第２透明体を取り付けてあることを特徴とする請求項１に記載のマスクユニット。
【請求項３】
前記第１透明体及び／又は前記第２透明体は、ノングレアガラスにより形成されることを特徴とする請求項１又は２に記載のマスクユニット。
【請求項４】
前記第１透明体及び／又は前記第２透明体は、光拡散性を有することを特徴とする請求項１又は２に記載のマスクユニット。
【請求項５】
前記第１透明体及び／又は前記第２透明体は、スリガラスにより形成されることを特徴とする請求項４に記載のマスクユニット。
【請求項６】
前記第１透明体及び／又は前記第２透明体は、透明樹脂にショットピーニング又はショットブラストを行うことにより形成されることを特徴とする請求項４に記載のマスクユニット。
【請求項７】
前記第１開口部と前記第２開口部とは、つながった１つの開口穴として形成されていることを特徴とする請求項１〜６のいずれか１項に記載のマスクユニット。
【請求項８】
前記第２開口部の搬送方向に沿った長さは前記第１開口部のそれよりも長くなるように形成され、前記第４開口部の搬送方向に沿った長さは前記第３開口部のそれよりも長くなるように形成されていることを特徴とする請求項２〜７のいずれか１項に記載のマスクユニット。
【請求項９】
写真フィルムを搬送経路に沿って搬送する搬送機構と、前記搬送経路上に請求項２〜８のいずれか１項に記載のマスクユニットとを備え、
前記写真フィルムを基準にして、前記第１ユニットを露光用光源側に、前記第２ユニットを感光材料側になるように、前記マスクユニットを着脱自在に構成したことを特徴とするフィルム搬送ユニット。
【請求項１０】
前記第１透明体と前記第２透明体のうち、少なくとも前記第２透明体は光拡散性を有することを特徴とする請求項９に記載のフィルム搬送ユニット。
【発明の詳細な説明】
【０００１】
【発明の属する技術分野】
本発明は、写真フィルムの画像コマ及びコマ番号を感光材料に投影露光するために用いられるマスクユニット及びこのマスクユニットが取り付けられるフィルム搬送ユニットに関する。
【０００２】
【従来の技術】
写真フィルムの画像コマを印画紙  （感光材料の１例に相当する。）  に焼付処理する例として、ベタ焼きと呼ばれる処理が知られている。これは、シート状の印画紙に１オーダー分の画像コマを２次元的に並べて露光したり、長尺状の印画紙に写真フィルムの画像コマを６コマ前後横に並べてピースネガと同様な形式になるように露光したもの  （これらを以下、複数コマ焼付プリントと言うことがある。）であり、印画紙に対して写真フィルムを密着させた状態で投影露光を行っている。このベタ焼きでは、画像コマのほかに写真フィルムに形成されているコマ番号をもいっしょに露光するようにしており、コマ番号と画像コマとの対応が一目で認識できるので、顧客が焼き増し注文をするときには便利である。特に公共事業における記録写真においては、同じようなシーンが続けて撮影されることがあり、かかる場合に画像コマとコマ番号の対応関係が直ちに認識できるベタ焼きは有用である。
【０００３】
しかしながら、ベタ焼きにより複数コマ焼付プリントを露光するには、専用のペーパーマスクを用意し、これを投影露光部の所定の場所にセッティングして、これに写真フィルムを装填する必要があった。そして、複数のオーダーを処理する場合には、これを繰り返す必要がありオペレータの作業が煩雑であった。また、ベタ焼きによる場合は印画紙に密着させる必要があることから、写真フィルムの画像コマと同じ大きさの画像しかできず、拡大して露光することはできなかった。
【０００４】
かかる問題点を解決した従来技術として、特開平７−２１９０５８号公報に開示される露光焼付装置がある。この装置は、写真フィルムを拡大投影可能な光学系と、１コマずつ写真フィルムを送りながら画像コマを露光する露光手段と、露光された印画紙を間欠搬送する搬送手段を備えている。そして、写真フィルムを搬送するためのフィルム搬送ユニット  （ネガキャリア）  を備えており、このフィルム搬送ユニットは画像コマの大きさに対応する十分な開口  （第１開口部）  を備えると共に、写真フィルムのパーフォレーション側に配置されたコマ番号  （バーコードを含む）  に対応した長穴  （第２開口部）  を備えている。
【０００５】
【発明が解決しようとする課題】
しかしながら、コマ番号に対応した開口部を形成する場合に、単に穴を形成するのみでは次のような問題点があった。
すなわち、写真フィルム１のコマ番号は図５（ａ）に示すように、パーフォレーション１ｄの外側で、しかも写真フィルム１の端面に極めて近い位置にある。従って、コマ番号１ｂが確実に印画紙に露光できるようにするには、第２開口部の大きさも少し大き目に設定しておく必要がある。従って、写真フィルム１の端面よりも外側が少なくとも端面とほぼ同じ位置に、前記第２開口部の端面がくることになる。そうすると、前記第１開口部及び第２開口部に向けて写真フィルム１を搬送してきたときに、写真フィルム１の先端部が第２開口部においてひっかかってしまい、うまく写真フィルム１をセッティングできないと言う事態が生じる。
【０００６】
本発明は上記実情に鑑みてなされたものであり、その目的は、写真フィルムの搬送性を損なわないで複数コマ焼付プリントを露光できるマスクユニット及びフィルム搬送ユニットを提供することである。
【０００７】
【課題を解決するための手段】
上記目的を達成するため、本発明に係るマスクユニットは、写真フィルムの画像コマ及びコマ番号を感光材料に投影露光するために光軸にセットされるマスクユニットであって、前記画像コマに対応した第１開口部と前記コマ番号に対応した第２開口部とを有する第１ユニットを備え、前記第１開口部と前記第２開口部のうちの前記第２開口部のみに第１透明体を取り付けてあることを特徴とするものである。
【０００８】
この構成によると、写真フィルムの画像コマ及びコマ番号を感光材料に投影露光する場合には、第１開口部に画像コマが対応するように写真フィルムを挿入（又は搬送）する。挿入又は搬送は自動で行われるものでもよく、オペレータが手動で行うものでも良い。そして、コマ番号を投影露光するために設けられた第２開口部に第１透明体を取り付けている。従って、写真フィルムの先端部が第２開口部においてひっかかってしまうということがない。その結果、写真フィルムの搬送性を損なわないで複数コマ焼付プリントを露光できるマスクユニットを提供することができた。
【０００９】
本発明の好適な実施形態として、前記画像コマに対応した第３開口部と前記コマ番号に対応した第４開口部とを有し、かつ、前記写真フィルムを押さえる機能を有する第２ユニットを備え、前記第３開口部と前記第４開口部のうちの前記第４開口部のみに第２透明体を取り付けてあるものがあげられる。
【００１０】
この構成のように、第１ユニットに加え更に第２ユニットを用いると、画像コマ及びコマ番号を露光する場合に写真フィルムを安定して保持することができる。この場合は、コマ番号に対応した第４開口部に第２透明体を取り付けることで、写真フィルムの先端部が第４開口部においてひっかかってしまうということがなくなる。
【００１１】
前記第１透明体及び／又は前記第２透明体は、例えば、ノングレアガラスにより形成される。ノングレアガラスは、直進してきた光をそのままの直進状態で通過させる性能を有し、コマ番号を露光する場合に、画像ににじみが発生しないと言う利点がある。
【００１２】
前記第１透明体及び／又は前記第２透明体としては、光拡散性を有する素材により形成しても良い。ノングレアガラスのように全く光を屈折させない素材を選択しても良いが、逆に光拡散性をもたせることにより画像ににじみを発生させないようにすることもできる。
【００１３】
光拡散性を有する素材として、スリガラスがあげられる。スリガラスはコスト的に安く入手しやすいと言う利点がある。また、透明樹脂にショットピーニング又はショットブラストを行うことにより光拡散性を持たせた素材を選択しても良い。樹脂を採用することで、開口部に対する取付などを考慮して形状を自由に設定することができると言う利点がある。
【００１４】
前記第１開口部と前記第２開口部とは、別々の開口として形成しても良いが、つながった１つの開口穴として形成することもできる。１つの開口穴としたほうが穴の加工が容易になる。
本発明の更に別の好適な実施形態として、前記第２開口部の搬送方向に沿った長さは前記第１開口部のそれよりも長くなるように形成され、前記第４開口部の搬送方向に沿った長さは前記第３開口部のそれよりも長くなるように形成されているものがあげられる。
【００１５】
本発明に係るフィルム搬送ユニットは、上述した特徴を有するマスクユニットを備えると共に、
写真フィルムを搬送経路に沿って搬送する搬送機構を備えており、
前記写真フィルムを基準にして、前記第１ユニットを露光用光源側に、前記第２ユニットを感光材料側になるように、前記マスクユニットを着脱自在に構成したことを特徴とするものである。
【００１６】
このフィルム搬送ユニットに用いられるマスクユニットの第１ユニットは、コマ番号を投影露光するために設けられた第２開口部に第１透明体を取り付けている。従って、写真フィルムの先端部が第２開口部においてひっかかってしまうということがない。また、第２ユニットについても、コマ番号に対応した第４開口部に第２透明体を取り付けることで、写真フィルムの先端部が第４開口部においてひっかかってしまうということがなくなる。その結果、写真フィルムの搬送性を損なわないで複数コマ焼付プリントを露光できるフィルム搬送ユニットを提供することができた。さらに、マスクユニットは着脱自在であるから、複数コマ焼付プリントではなく通常のプリントを行うときには、マスクユニットを交換さえすれば良い。従って、多機能のフィルム搬送ユニットとすることができた。
【００１７】
本発明の好適な実施形態として、前記第１透明体と前記第２透明体のうち、少なくとも前記第２透明体は光拡散性を有するものがあげられる。写真フィルムに入ってくる光（入ってくる光は拡散させてもさせなくてもどちらでも良い。）よりも写真フィルムを通過した光を拡散させることにより、コマ番号の画像のにじみの発生を防止することができる。
【００１８】
【発明の実施の形態】
＜本実施形態の構成＞
本発明に係るマスクユニット及びフィルム搬送ユニット、並びにこれらが用いられる写真処理装置の構成について図面を用いて説明する。図１は、写真処理装置の構成を示す模式図、図２はフィルム搬送ユニットとして機能するネガキャリアの構成を示す斜視図である。
写真処理装置は、写真フィルムの１例であるネガフィルム１（以下、単にフィルムと言う。）の画像コマを感光材料の１例である印画紙２に焼付露光する焼付露光部１０と、露光済みの印画紙２を現像処理する現像処理部１１と、装置の各部の作動を制御するコントローラ１２とを備えている。コントローラ１２には、各種の制御指示を入力するためのキーボード１３と、スキャナー１５により読み取った画像コマ情報を表示するモニター１４とが接続されている。
【００１９】
焼付処理を行うフィルム１が焼付露光部１０にセットされたネガキャリア１６に挿入されると、フィルム１の画像情報を各コマ毎に順番にスキャナー１５により読み取り、その情報はコントローラ１２に送られる。コントローラ１２は、読み取られたフィルム１の画像情報に基づいて、各画像コマ毎の露光条件を演算して決定する。この決定された露光条件により印画紙２に露光した場合に得られるであろう画像コマをシミュレート画像コマとしてモニター１４に表示する。
【００２０】
写真処理装置のオペレータは、モニター１４の表示を見て適切な画像が得られないと判断すると、キーボード１３から演算された露光条件の修正指示を入力する。コントローラ１２は、その修正指示に基づいて露光条件を修正し、最終的な露光条件を決定する。その決定された露光条件に基づいて、焼付露光部１０の各部の作動を制御し、印画紙マガジン３から引き出された印画紙２にフィルム１の画像コマを投影露光する。
【００２１】
焼付露光の終了した印画紙２は、現像処理部１１に搬送されて現像処理されフィルム１の各画像コマに対応して１枚づつ切断した状態で排出される。
【００２２】
＜写真処理装置の各部の構成＞
焼付露光部１０には、後で詳細に説明するネガキャリア１６と、露光用光源４と、露光用光路に、イエロー、シアン、マゼンタの各色のフィルタが出入りすることにより露光用光源４からの照射光の色バランスを調整する調光フィルタ５と、調光フィルタ５で色バランスを調整した光を均一に混色するミラートンネル６と、フィルム１の画像コマを印画紙２上に結像する焼付用レンズ７と、フィルム１の画像コマをスキャナー１５の方向に導く反射ミラー８と、フィルム１の画像コマをスキャナー１５のセンサー面に結像するスキャナー用レンズ９と、シャッター１７と、印画紙２を搬送する搬送ローラ１８と、搬送ローラ１８を駆動するモータ１９とを備えている。また、焼付用レンズ７と反射ミラー８とスキャナー用レンズ９とは１つのユニット２０になっており、このユニット２０全体が矢印Ｃ方向に移動可能に構成されている。スキャナー１５により画像コマを読み取るときにはユニット１９を図１の右側に移動させ、反射ミラー８を光路中に臨ませるようにすれば良い。また、焼き付け用レンズ７はズームレンズになっており、フィルム１の画像コマを印画紙２に焼き付ける際の焼付倍率を設定できるようになっている。
【００２３】
調光フィルタ５とシャッター１７とはコントローラ１２により制御され、コントローラ１２が最終的に決定した露光条件に基づいて、調光フィルタ５の各フィルタの位置や、シャッター１７の開放時間すなわち露光時間が制御されるようになっている。また、モータ１９はコントローラ１２の制御によって印画紙２をコマ送りの状態で搬送する。
【００２４】
＜ネガキャリアの構成＞
次に図２によりネガキャリア１６の詳細を説明する。ネガキャリア１６は、一対の枠体である上部ユニット３０と下部ユニット３１とを揺動開閉自在に枢支連結した構成としてあり、図示しないバネにより開き側に復帰付勢されている。図２は、上部ユニット３０と下部ユニット３１とが開いている状態を示す。フィルム１は矢印Ａの方向に挿入され、矢印Ｂの方向に排出される。
【００２５】
下部ユニット３１には、図２に示すように、駆動ローラ３２ａ，３２ｂ，３２ｃ，３２ｄ，３２ｅ、フィルム１の左右両端部を案内支持し且つフィルム１の画像面通過予定箇所を窪ませた下部ガイド３３、駆動ローラ３２ａをベルト３４ａを介して駆動するモータ３５ａ、駆動ローラ３２ｂ，３２ｃ，３２ｄ，３２ｅをベルト３４ｂを介して連動駆動するモータ３５ｂ、フィルム１のＤＸコードを検出するためのＤＸコード検出用光センサ３６の発光部３６ａ、フィルム１のパーフォレーションを検出するためのパーフォレーション検出用光センサ３７の発光部３７ａ、フィルム１の画像部分を検出する画像検出用光センサ３８の発光部３８ａ、及び、フィルム１の印画紙２に焼き付ける領域を規定する開口を有するマスクユニット４０が備えられている。マスクユニット４０の詳細は後述する。
【００２６】
上部ユニット３０には、図２に示すように、上記の下部ガイド３３と共にフィルム１の左右両端部を支持案内し且つフィルム１の画像面通過予定箇所を窪ませた上部ガイド５０が設けられ、その上部ガイド５０は、露光用光源４からの照射光が通過するマスクユニット４０の存在箇所を挟んでフィルム１搬送経路上流側に位置する上流側支持体５１ａに形成された上流側部分５０ａと、フィルム１搬送経路下流側に位置する下流側支持体５１ｂに形成された下流側部分５０ｂとからなる。
【００２７】
上流側支持体５１ａには、上部ユニット３０と下部ユニット３１とが閉じている状態において夫々駆動ローラ３２ａ，３２ｂ，３２ｃと相対する位置に設置された圧着ローラ３９ａ，３９ｂ，３９ｃ、ＤＸコード検出用光センサ３６の受光部３６ｂ、パーフォレーション検出用光センサ３７の受光部３７ｂ、画像検出用光センサ３８の受光部３８ｂ、下流側支持体５１ｂには、上部ユニット３０と下部ユニット３１とが閉じている状態において夫々駆動ローラ３２ｄ，３２ｅと相対する位置に設置された圧着ローラ３９ｄ，３９ｅ及び出口ローラ５２が備えられている。
【００２８】
駆動ローラ３２ａ，３２ｂ，３２ｃ，３２ｄ，３２ｅと、圧着ローラ３９ａ，３９ｂ，３９ｃ，３９ｄ，３９ｅと、ベルト３４ａ，３４ｂと、モータ３５ａ、３５ｂは、写真フィルムを搬送経路に沿って搬送する搬送機構として機能する。
【００２９】
＜マスクユニットの構成＞
次に、マスクユニット４０の構成を図３により説明する。
マスクユニット４０は、フィルム１を基準にして露光用光源４側に配置される第１ユニット４１と、印画紙２側に配置される第２ユニット４２とを備えている。
【００３０】
第１ユニット４１は、第１枠体４３と、第１透明体４４とを備えている。第１枠体４３は、フィルム１の画像コマ１ａに対応した第１開口部４３ａと、コマ番号１ｂとバーコード１ｃとに対応した第２開口部４３ｂと、ネガキャリア１６の下部ユニット３１の下部ガイド３３と同一高さの搬送面になるように設定された下部搬送ガイド４３ｃと、下部搬送ガイド４３ｃの搬送経路両側に設けられた一対の支持部４３ｄとを備えている。
【００３１】
第１開口部４３ａと第２開口部４３ｂとは、連通して１つの開口をなしており、第２開口部４３ｂの搬送方向に沿った長さは第１開口部４３ａのそれよりも長くなっており、さらに第２開口部４３ｂには第１透明体４４がはめ込まれており接着等の適宜の手法で固定されている。第１透明体４４の表面は下部搬送ガイド４３ｃと同一高さになるように固定され、第１透明体４４の第１開口部４３ａとの境界に相当する端面部の位置は、画像コマ１ａの端部に一致又はほぼ一致するように設定されている。第１透明体４４を設けることにより、フィルム１が搬送されてきたときに、フィルム１の先端の端面が第２開口部４３ｂの端面に引っかかる恐れがなくなるから、確実にフィルム１をマスクユニット４０内に送り込むことができる。なお、第１開口部４３ａには透明体を設ける必要はない。
【００３２】
第１透明体４４は、好ましくはスリガラス、ノングレアガラス、透明樹脂板で形成し、透明樹脂板で形成するときはコマ番号などの画像のにじみを防止するためにショットピーニング  （又はショットブラスト）  を行い光拡散性を持たせるのが好ましい。透明樹脂としては、ポリカーボネート樹脂やアクリル樹脂などがあげられる。ノングレアガラスは、平面度がかなり高く直進して入射された光線をそのまま直進状態で通過させることができ、上述した画像のにじみを発生させないと言う利点がある。ただし、ノングレアガラスはコストが高いので、光拡散性を有するスリガラスを用いれば、コストも安く便利である。第１透明体４４としては、光を全く屈折させないか、乱反射させるかのどちらかの性質を有するものが選択される。これにより、コマ番号１ｂの画像のにじみなどを防止することができる。
【００３３】
下部搬送ガイド４３ｃは、一対の支持部４３ｄに挟まれるように形成されており、その幅寸法はフィルム１の幅寸法よりも少し大きな寸法としている。また、支持部４３ｄには搬送方向に沿って片側に２こずつ合計４つの嵌合凹部４３ｅが設けられている。
【００３４】
第２ユニット４２は、第２枠体４５と、第２透明体４６と、位置決めピン４７と、ばね４８と、Ｅリング４９とを備えている。第２枠体４５は、フィルム１の画像コマ１ａに対応した第３開口部４５ａと、コマ番号１ｂとバーコード１ｃとに対応した第４開口部４５ｂと、ネガキャリア１６の上部ユニット３０の上部ガイド５０と同一高さの搬送面になるように設定された上部搬送ガイド４５ｃ  （下部搬送ガイド４３ｃと向かい合う面として形成されている。）  と、搬送経路両側に設けられた一対の支持部４５ｄとを備えている。
【００３５】
第３開口部４５ａと第４開口部４５ｂとは、連通して１つの開口をなしており、第３開口部４５ａの大きさは第１開口部４３ａと同じ、第４開口部４５ｂの大きさは第２開口部４３ｂと同じになるよう設定している。さらに第４開口部４５ｂには第２透明体４６がはめ込まれており接着等の適宜の手法で固定されている。第２透明体４６の表面は上部搬送ガイド４５ｃと同一高さになるように固定されている。第１透明体４４を設けることにより、フィルム１が搬送されてきたときに、フィルム１の先端の端面が第２開口部４３ｂの端面に引っかかる恐れがなくなるから、確実にフィルム１をマスクユニット４０内に送り込むことができる。なお、第１開口部４３ａには透明体を設ける必要はない。
【００３６】
第２透明体４６は、好ましくはスリガラス、ノングレアガラス、透明樹脂板で形成し、透明樹脂板で形成するときはコマ番号などの画像のにじみを防止するためにショットピーニング  （又はショットブラスト）  を行い光拡散性を持たせるのが好ましい。基本的には、第２透明体４６は第１透明体４４と同様の素材から選択される。ただし、第１透明体４４は、通常の光拡散性を有しない素材から選択できる可能性はあるが、この場合においても、第２透明体４６は光拡散性を有する素材から選択するのが好ましい。これはフィルム１を通過してきた光を拡散させることで、効果的にコマ番号１ｂの画像ににじみを発生させないようにできるからである。
【００３７】
一対の支持部４５ｄには、４つの嵌合凹部４３ｅに対応する位置に、４つの穴部４５ｅが形成されている。位置決めピン４７の頭部４７ａが嵌合凹部４３ｅにはめ込まれ、位置決めピン４７の軸部にばね４８が挿入され、さらにこの軸部が上記穴部４５ｅを貫通するように挿入され、Ｅリング４９を溝部４７ｂにはめ込む。通常はばね４８により第２枠体４５は、第１枠体４３に対して離間する方向に付勢されている。この状態で、フィルム１を搬送させることができる。フィルム１の画像コマ１ａを露光する場合は、不図示の電磁石などの機構により第２枠体４５をばね４８の付勢力に抗して、図３の矢印Ｈ方向に移動させて画像コマ１ａを位置決め固定する。
【００３８】
またこのマスクユニット４０は、ネガキャリア１６に対して着脱自在に構成されている。複数コマ焼付プリントではなく、通常のプリントを行うときには、第１開口部４３ａのみを備えた第１ユニット４１と、第３開口部４５ａのみを備えた第２ユニット４２とで構成されるマスクユニットをネガキャリア１６に装着すれば良い。
【００３９】
＜本実施形態の作動説明＞
図４のフローチャートにより、本実施形態の写真処理装置を用いて複数コマ焼付プリントを行うときの作動を説明する。
まず、フィルム１をネガキャリア１６にセットする（ステップ＃０１）。次いで、フィルム１を搬送し（＃０２）、ＤＸコード検出用光センサー３６によりＤＸコードを検出し、さらに画像検出用センサー３８により画像コマ１ａのエッジを検出し、パーフォレーション検出用センサー３７からの信号に基づいて、画像コマ１ａをマスクユニット４０の第１開口部４３ａ及び第３開口部４５ａの位置に位置決めさせる（＃０３）。位置決め時には、第１ユニット４１に対して第２ユニット４２が近接する方向に作動し、スキャナー１５により画像コマ１ａのスキャニングを行う（＃０４）。１コマ分のスキャニングが終了したら、第２ユニット４２を第１ユニット４１から離間する方向に作動させる。ここで全画像コマ１ａのスキャニングが終了したか否かをコントローラ１２により判断し（＃０５）、終了してない場合はステップ＃０２に戻りフィルム１を１コマ分搬送させ同様の作動を繰り返す。スキャニングされた画像コマ１ａは、モニター１４にシミュレート画像コマとして表示され、オペレータは適宜キーボード１３から濃度や色などの補正情報を入力する。
【００４０】
補正情報の入力作業が終了すると（あるいは終了前）、フィルム１を元の状態に戻し搬送し（図２の矢印Ａ，Ｂとは逆方向）（＃０６）、戻し終わると再びスキャニングのときと同様に、フィルム搬送（＃０７）、フィルム位置決め（＃０８）を行う。なお、焼付用レンズ７は、複数コマ焼付プリントに適した焼付倍率になるよう予めセッティングされている。位置決めされた画像コマ１ａの印画紙２に対する露光を行う（＃０９）。ここで全画像コマ１ａの焼付露光が終了したか否かをコントローラ１２により判断し（＃０９）、終了してない場合はステップ＃０７に戻りフィルム１を１コマ分搬送させ同様の作動を繰り返す。また、露光に際しては先ほどの補正情報が入力された画像コマ１ａについては、補正された露光条件にて画像が焼き付けられる。全画像コマ１ａの露光が終了すると、印画紙２の現像処理を行う（＃１１）。
【００４１】
図５（ｂ）に画像が焼き付けられた印画紙２を示す。この例では５コマ分ごとにカットされているが、何コマ毎にカットするかは適宜選択できる。この複数コマ焼付プリントでは、通常の画像コマ２ａと共にコマ番号２ｂ、バーコード２ｃ、パーフォレーション２ｄの形もいっしょに焼き付けられている。
【００４２】
本実施形態によると、ベタ焼きとは異なり補正情報を入力できるので、より品質の良い画像コマ２ａを焼付露光することができる。また、フィルム１をマスクユニット４０内に挿入していく場合にも、第２開口部４３ｂや第４開口部４５ｂにそれぞれ第１透明体４４と第２透明体４６を取り付けているから、フィルム１の先端の端面が引っかかってしまうと言う恐れがない。また、焼付用レンズ７の焼付倍率の設定により、印画紙２に対して焼き付けられる画像コマ２ａの大きさを設定できるから、従来のベタ焼きに比べて質の良い複数コマ焼付プリントを顧客に提供することができる。
【００４３】
＜別実施形態＞
次に別実施形態について説明する。
（１）本実施形態において、第１開口部４３ａと第２開口部４３ｂとは連通して１つの開口を形成しているが、別々の独立した開口部として構成しても良い。また、第３開口部４５ａと第４開口部４５ｂについても同様に別々の独立した開口部としても良い。
（２）本実施形態では、第２開口部４３ｂの搬送経路に沿った長さは、第１開口部４３ａのそれよりも少し長くなっているが、これを同じ長さとしても良い。この場合、単一の矩形の開口になる。また、第３開口部４５ａと第４開口部４５ｂについても同様に同じ長さとしても良い。
【００４４】
（３）本実施形態では、コマ番号１ｂのほかにバーコード１ｃなどもいっしょに焼き付けるようにしているが、コマ番号１ｂのみを焼き付けるようにしても良い。
【００４５】
（４）本実施形態では、複数コマ焼付プリントとして長尺状（１次元的な配列）に画像コマを焼き付けているが、シート状（２次元的な配列）に焼き付けるようにしても良い。
（５）写真フィルムとしてネガフィルムではなくポジフィルムでも良い。
【図面の簡単な説明】
【図１】写真処理装置の構成を示す模式図
【図２】ネガキャリアの構成を示す斜視図
【図３】マスクユニットの構成を示す分解斜視図
【図４】本実施形態の作動を説明するフローチャート
【図５】ネガフィルム及び複数コマ焼付プリントを示す図
【符号の説明】
１      ネガフィルム
１ａ    画像コマ
１ｂ    コマ番号
２      印画紙
１０    焼付露光部
４０    マスクユニット
４１    第１ユニット
４２    第２ユニット
４３ａ  第１開口部
４３ｂ  第２開口部
４４    第１透明体
４５ａ  第３開口部
４５ｂ  第４開口部
４６    第２透明体
【図１】
0003585095.tif 000002
【図２】
0003585095.tif 000003
【図３】
0003585095.tif 000004
【図４】
0003585095.tif 000005
【図５】
0003585095.tif 000006